(57)【特許請求の範囲】
【請求項１】
第１のスラブ要素と第２のスラブ要素とが段差部を介して一体化した段差付きスラブの構築工法であって、
前記第１のスラブ要素（１１）は、長手方向に配設されたリブ（１１ａ）と、該リブに連続するとともに端面から突出した差込用リブ（１１ｂ）を有しており、前記第２のスラブ要素（１２）と前記第１のスラブ要素（１１）の差込用リブ（１１ｂ）を重ね合わせ、
この重ね合わせた部分に鉄筋（１４）を配筋し周囲からコンクリートを打設して一体化することを特徴とする段差付きスラブの構築工法。
【請求項２】
前記差込用リブは、ＰＣ鋼材（１６）が配置されるとともに緊張力が導入され、外周に長手方向に対して直角方向のコッター（１７）を有したことを特徴とする請求項１に記載の段差付きスラブの構築工法。
【請求項３】
前記第２のスラブ要素（１２）は、先端に段差を構成する立上り壁（１８）を備え、
該立上り壁（１８）の上端に前記第１のスラブ要素を載せ、かつ差込用リブを前記第２のスラブ要素（１２）と所定の間隔を有して重ね合わせ、
この重ね合わせた部分に鉄筋（１４）を配筋し周囲からコンクリートを打設して一体化することを特徴とする請求項１または２に記載の段差付きスラブの構築工法。
【請求項４】
前記第２のスラブ要素（１２）は、先端に段差を構成する立上り壁（１８）と、立上り壁（１８）から所定距離後退した位置に立設された背の高い立上り壁（１９）を備え、
該背の高い立上り壁（１９）は、鉄筋を挿通するための挿通孔（２０）を備えたことを特徴とする請求項３に記載の段差付きスラブの構築工法。
【発明の詳細な説明】
【０００１】
【発明の属する技術分野】
この発明は、上段部分と下段部分とが段差部で一体化した段差付きスラブを現場で構築することのできる段差付きスラブの構築工法に関するものである。
【０００２】
【従来の技術】
一般に、ＰＣ合成床は、プレキャストＰＣ版と現場打ちコンクリートとが一体となってコンクリート床スラブを構築するもので、特に段差付きＰＣ版は、建築物の高低差のある床、例えば、浴室部分等に使用される。近年、住宅や公共建築物において、高齢者や身体障害者等の利用者を配慮し、床段差をなくしたバリアーフリーの設計思想が一般化している。現場打ちのコンクリート床の設計では、仕上げや設備配管等により床に部分的な高低差が生じる場合、予めその部分に床スラブを低く施工するために、小梁、孫梁を設けて対応していた。
しかし、これでは、施工が煩雑であると共に、住宅等階高の制限が厳しい建築物では、小梁を設けることで設計計画上の不都合が生じる場合が存在した。
【０００３】
そこで、施工の合理化を図るためにプレストレスを導入した一体型の段差付きスラブが開発された。この、上段部分と下段部分とが段差部で一体化している段差付きスラブは、耐力的には十分であるが製作上１つの型枠で１枚ないし、２枚しか製作できないために、製造コストも高価であった。
【０００４】
これを解決するべく、図１２、１３に示すようなプレキャストＰＣ版１、１を接合部２において、鉄筋３で補強した後、コンクリートを打設して一体化する段差付きスラブの構築工法が提案されている。ここで、図１２は従来のセパレート型の段付きスラブを示す縦断面図、図１３はその段差部を示す要部断面図である。プレキャストＰＣ版１は、段差部で殆ど重複することなく鉄筋３で補強されるのみであった。
【０００５】
【発明が解決しようとする課題】
しかし、上記従来の段差付きスラブの構築工法において、長期荷重に対する変形性能等が短スパンの床には対応できても、大スパンの床には対応できないと云う欠点が存在した。
【０００６】
この発明は上記に鑑み提案されたもので、大スパンの床にも対応できると共に複数のスラブ要素を組み合わせて現場で段差付きスラブを構築すことのできる段差付きスラブの構築工法を提供することを目的とする。
【０００７】
【課題を解決するための手段】
上記目的を達成するために、本願発明は第１のスラブ要素と第２のスラブ要素とが段差部を介して一体化した段差付きスラブの構築工法であって、前記第１のスラブ要素（１１）は、長手方向に配設されたリブ（１１ａ）と、該リブに連続するとともに端面から突出した差込用リブ（１１ｂ）を有しており、前記第２のスラブ要素（１２）と前記第１のスラブ要素（１１）の差込用リブ（１１ｂ）を重ね合わせ、この重ね合わせた部分に鉄筋（１４）を配筋し周囲からコンクリートを打設して一体化することを特徴とする。
【０００８】
また、本発明において前記差込用リブは、ＰＣ鋼材（１６）が配置されるとともに緊張力が導入され、外周に長手方向に対して直角方向のコッター（１７）を有したことを特徴とする。
【０００９】
また、本発明において前記第２のスラブ要素（１２）は、先端に段差を構成する立上り壁（１８）を備え、該立上り壁（１８）の上端に前記第１のスラブ要素を載せ、かつ差込用リブを前記第２のスラブ要素（１２）と所定の間隔を有して重ね合わせ、この重ね合わせた部分に鉄筋（１４）を配筋し周囲からコンクリートを打設して一体化することを特徴とする。
【００１０】
また、本発明において前記第２のスラブ要素（１２）は、先端に段差を構成する立上り壁（１８）と、立上り壁（１８）から所定距離後退した位置に立設された背の高い立上り壁（１９）を備え、該背の高い立上り壁（１９）は、鉄筋を挿通するための挿通孔（２０）を備えたことを特徴とする。
【００１２】
【発明の実施の形態】
以下、一実施の形態を示す図面に基づいて本発明を詳細に説明する。図１は、本発明に係る段差付きスラブの構築工法により構築した段付きスラブの斜視図、図２は、同段差付きスラブの縦断面図である。ここで、段差付きスラブ１０は、第１のスラブ要素１１と第２のスラブ要素１２とが段差部１３を介して一体化したものであって、前記第１のスラブ要素１１と前記第２のスラブ要素１２とを一部重複して重ね合わせ、重ね合わせた部分に鉄筋１４を配筋し周囲からコンクリート１５を打設して一体化する。
【００１３】
第１のスラブ要素１１は、図４〜図７に示すようにＰＣ鋼材１６に緊張力が付与された状態で成型されている。また、上面にリブ１１ａを備えると共に、先端に差込用リブ１１ｂを有している。差込用リブ１１ｂは、本体より細く形成されており、ＰＣ鋼材１６が配筋されると共に両側面及び底面にコッター１７が形成されている。コッター１７は、差込用リブ１１ｂの側面に複数の凹溝を形成することによって構成されている。
【００１４】
また、第２のスラブ要素１２は、図１０、１１に示すように段差の先端を構成する立上り壁１８を有している。更に、第２のスラブ要素１２は、段差部の後端を形成する立上り壁１９を有している。この立上り壁１９には、適宜位置に鉄筋１５を挿通するための挿通孔２０が形成されている。また、第２のスラブ要素１２も第１のスラブ要素１１と同様に図示しないＰＣ鋼材に緊張力が付与された状態で成型されている。
【００１５】
以上のように構成された第１のスラブ要素１１と第２のスラブ要素１２を用いた段差付きスラブの構築工法について説明する。先ず、図１１に示すように第１のスラブ要素１１の差込用リブ１１ｂを第２のスラブ要素１２の立上り壁１８と立上り壁１９の間に載置する。次に、図９、１０に示すように鉄筋１４を段差部に配筋する。図８，１０に示す例は、立上り壁１９が無い場合であり、立上り壁１９は必ずしも必要ない。図１１に示すように立上り壁１９を有している場合は、挿通孔２０に鉄筋１４を挿通する。このように、第１のスラブ要素１１と第２のスラブ要素１２を一部で重ね合わせると共に、下から図外のサポート部材で支持した後、コンクリート１５を打設して段差部を形成して一体化する。
【００１６】
このように本発明の段差付きスラブの構築工法によれば、第１のスラブ要素１１と第２のスラブ要素１２を一部重複して重ね合わせ、鉄筋１４を配筋した後、コンクリートを打設して段差部を形成して一体化するので、段差付きスラブを安価に構築することができる。また、鉄筋１４を配筋しているので、充分な耐力を得ることができる。したがって、大スパンのスラブを構成することができる。更に、長期荷重に対しても許容範囲の変形性能を保持することができる。また、差込用リブ１１ｂにコッター１７を設けたので、接合力が増して応力を受けても引き抜ける虞がない。
【００１７】
図３は、本発明の段付きスラブ１０を使用して浴室を施工した例を示す断面図である。段差付きスラブ１０を使用して、低くなった部分に浴槽２１、洗い場２２、給排管２３を設置すれば、隣接する部屋との間に段差のないバリアフリーの住空間を形成することができる。
【００１８】
【発明の効果】
この発明は上記した構成からなるので、以下に説明するような効果を奏することができる。
【００１９】
請求項１に記載の発明では、第１のスラブ要素と第２のスラブ要素とが段差部を介して一体化した段差付きスラブの構築工法であって、前記第１のスラブ要素（１１）は、長手方向に配設されたリブ（１１ａ）と、該リブに連続するとともに端面から突出した差込用リブ（１１ｂ）を有しており、前記第２のスラブ要素（１２）と前記第１のスラブ要素（１１）の差込用リブ（１１ｂ）を重ね合わせ、この重ね合わせた部分に鉄筋（１４）を配筋し周囲からコンクリートを打設して一体化するので、段差部を鉄筋のみで補強した従来のものより、耐力的に優れている。また、スパンの幅も従来に比べて大きくすることができる。例えば、８ｍ〜１２ｍ位までのスパンに対応することができる。
【００２０】
また、請求項２に記載の発明によれば、前記差込用リブは、ＰＣ鋼材（１６）が配置されるとともに緊張力が導入され、外周に長手方向に対して直角方向のコッター（１７）を有したので抜け難くなり、より強固な結合が可能となる。したがって、従来に比べて大きな耐力を得ることができるとともに全体の撓み量を小さくすることができる。
【００２１】
また、請求項３に記載の発明によれば、前記第２のスラブ要素（１２）は、先端に段差を構成する立上り壁（１８）を備え、該立上り壁（１８）の上端に前記第１のスラブ要素を載せ、かつ差込用リブを前記第２のスラブ要素（１２）と所定の間隔を有して重ね合わせ、この重ね合わせた部分に鉄筋（１４）を配筋し周囲からコンクリートを打設して一体化するので、第１のスラブ要素と第２のスラブ要素との重ね合わせ部の結合を一層強固にすることができる。このため、大スパンの床スラブに対応することができる。また、コンクリートを打設する際にコンクリートの無駄を無くすことができる。
【００２３】
また、請求項４に記載の発明によれば、前記前記第２のスラブ要素（１２）は、先端に段差を構成する立上り壁（１８）と、立上り壁（１８）から所定距離後退した位置に立設された背の高い立上り壁（１９）を備え、該背の高い立上り壁（１９）は、鉄筋を挿通するための挿通孔（２０）を備えたので、第１のスラブ要素と第２のスラブ要素との重ね合わせ部の配筋作業をする際に鉄筋をより効果的に作用させることができる。
【図面の簡単な説明】
【図１】図１は、本発明に係る段差付きスラブの構築工法により構築した段付きスラブの斜視図である。
【図２】図２は、同段差付きスラブの縦断面図である。
【図３】図３は、同段付きスラブを使用した施工例を示す断面図である。
【図４】図４は、本発明の段差付きスラブの構築工法に使用される第１のスラブ要素を示す側面図である。
【図５】図５は、第１のスラブ要素を示す平面図である。
【図６】図６は、第１のスラブ要素の差込部を示す側面図である。
【図７】図７は、第１のスラブ要素の差込部を示す正面図である。
【図８】図８は、同段差付きスラブの段部を示す縦断面図である。
【図９】図９は、同段差付きスラブの段部を示す平面図である。
【図１０】図１０は、同段差付きスラブの段部を示す斜視図である。
【図１１】図１１は、本発明の段差付きスラブの構築工法における接合部を示す説明図である。
【図１２】図１２は、従来の差込型の段付きスラブを示す縦断面図である。
【図１３】図１３は、従来の差込型の段付きスラブの段差部を示す要部断面図である。
【符号の説明】
１０      段差付きスラブ
１１      第１のスラブ要素
１１ａ    リブ
１１ｂ    差込用リブ
１２      第２のスラブ要素
１３      段差部
１４      鉄筋
１５      コンクリート
１６      ＰＣ鋼材
１７      コッター
１８      立上り壁
１９      立上り壁
２０      挿通孔
２１      浴槽
２２      洗い場
２３      給排管
【図１】
0003693989.tif 000002
【図２】
0003693989.tif 000003
【図３】
0003693989.tif 000004
【図４】
0003693989.tif 000005
【図５】
0003693989.tif 000006
【図６】
0003693989.tif 000007
【図７】
0003693989.tif 000008
【図８】
0003693989.tif 000009
【図９】
0003693989.tif 000010
【図１０】
0003693989.tif 000011
【図１１】
0003693989.tif 000012
【図１２】
0003693989.tif 000013
【図１３】
0003693989.tif 000014